(57)【要約】      （修正有）【課題】端末機カバーの開き角度を任意に調節することで、全体的に使用上の便利性を向上し得る携帯用端末機のヒンジ装置を提供する。【解決手段】端末機本体１の上部両方側に形成される第１ヒンジハウジング１ｂと、第１ヒンジハウジング１ｂの内部に挿合される第１ヒンジ部材１１０と、端末機カバー２の下部中央に形成される第２ヒンジハウジング２ｂと、第２ヒンジハウジング２ｂの内部に挿合される第２ヒンジ部材１２０と、第１ヒンジハウジング１ｂ又は第２ヒンジハウジング２ｂに選択的に結合されて自身の回転が制御されるカップリングヒンジ部材１３０と、第２ヒンジ部材１２０の内部に設置されるスプリング１４０と、第１ヒンジハウジング１ｂの一方側に設置されるカップリングヒンジ部材の位置調節手段１５０と、を含んで携帯用端末機のヒンジ装置を構成する。【選択図】図２
2004308891.tif 000002
【特許請求の範囲】
【請求項１】
端末機本体の上部両方側に形成される第１ヒンジハウジングと、
該第１ヒンジハウジングの内部に挿合される第１ヒンジ部材と、
前記端末機本体に揺動自在に結合された端末機カバーの下部中央に形成される第２ヒンジハウジングと、
該第２ヒンジハウジングの内部に挿合される第２ヒンジ部材と、
前記第１ヒンジ部材と前記第２ヒンジ部材間に位置されて、軸方向に移動しながら前記第１ヒンジハウジング又は第２ヒンジハウジングに選択的に結合されて、自身の回転が制御されるカップリングヒンジ部材と、
前記第２ヒンジ部材を支持するために該第２ヒンジ部材の内部に設置されるスプリングと、
前記カップリングヒンジ部材を軸方向に移動させるために、前記第１ヒンジ部材と隣接して前記第１ヒンジハウジングの一方側に設置されるカップリングヒンジ部材の位置調節手段と、を含んで構成されることを特徴とする携帯用端末機のヒンジ装置。
【請求項２】
前記第２ヒンジハウジングの内部に軸が設置されて、該軸は、前記スプリング、前記第２ヒンジ部材及び前記カップリングヒンジ部材の中心を貫通して設置されることを特徴とする請求項１記載の携帯用端末機のヒンジ装置。
【請求項３】
前記第１ヒンジ部材及び前記カップリングヒンジ部材の対向面には案内面がそれぞれ形成され、前記第１ヒンジ部材の案内面には停止溝が形成され、前記カップリングヒンジ部材の案内面には前記停止溝に挿合される停止突条が形成され、
前記第２ヒンジ部材及び前記カップリングヒンジ部材の対向面には、山部と溝部とが相互対応して形成されることを特徴とする請求項１記載の携帯用端末機のヒンジ装置。
【請求項４】
前記第２ヒンジ部材及び前記カップリングヒンジ部材の対向面には、２組の山部と溝部とがそれぞれ相互対応して形成されることを特徴とする請求項３記載の携帯用端末機のヒンジ装置。
【請求項５】
前記停止溝は、前記第１ヒンジ部材の案内面に円周方向に形成され、前記停止突条は、前記カップリングヒンジ部材の案内面に円周方向に形成されることを特徴とする請求項３記載の携帯用端末機のヒンジ装置。
【請求項６】
前記第１ヒンジハウジング及び前記第２ヒンジハウジングの内周面には、第１ヒンジ部材の係止面及び第２ヒンジ部材の係止面がそれぞれ形成され、前記第１ヒンジ部材の外周面には、前記第１ヒンジ部材の係止面に係止される回転防止面が形成され、第２ヒンジ部材の外周面には、前記第２ヒンジ部材の係止面に係止される回転防止面が形成されることを特徴とする請求項１記載の携帯用端末機のヒンジ装置。
【請求項７】
前記カップリングヒンジ部材の位置調節手段は、
前記第１ヒンジハウジングの端部と連通して形成されるキャップ挿合溝部と、  該キャップ挿合溝部に回転自在に結合されて、内部に雌ねじ部が形成される位置調節キャップと、
該位置調節キャップの回転によって前記雌ねじ部に結合されて、軸方向に移動するように前記第１ヒンジ部材に形成される雄ねじ部と、から構成されることを特徴とする請求項１記載の携帯用端末機のヒンジ装置。
【請求項８】
前記位置調節キャップの外周面には、取っ手部が形成されることを特徴とする請求項７記載の携帯用端末機のヒンジ装置。
【請求項９】
前記取っ手部には、ぎざぎざ（ｎｕｒｌｉｎｇ）が形成されることを特徴とする請求項８記載の携帯用端末機のヒンジ装置。
【請求項１０】
前記キャップ挿合溝部の内部面には係止溝が形成され、前記位置調節キャップの端部には、前記係止溝に係合される係止突条が形成されることを特徴とする請求項７記載の携帯用端末機のヒンジ装置。
【請求項１１】
前記第１ヒンジ部材の軸方向移動を制限するために、前記第１ヒンジハウジングの内周面にはストッパーが形成され、前記第１ヒンジ部材の外周面には、前記ストッパーに係止される突条部が形成されることを特徴とする請求項７記載の携帯用端末機のヒンジ装置。
【発明の詳細な説明】
【技術分野】
【０００１】
本発明は、携帯用端末機のヒンジ装置に係るもので、詳しくは、端末機カバーをワンタッチで開くことができ、且つ、端末機カバーの開き角度を任意に調節し得る携帯用端末機のヒンジ装置に関するものである。
【背景技術】
【０００２】
最近、携帯用端末機は、急激な発展に伴い、インターネット接続やＥメール送受信及び画像送受信などの多様な分野で技術開発が行われ、順次多機能化されつつある。
【０００３】
このために、端末機カバーに大型画面を採用するフォルダ型携帯用端末機が一般化されている。このようなフォルダ型端末機のヒンジ装置は、端末機カバーの開閉構造によって端末機カバーをワンタッチで開けるクリックヒンジタイプ（Ｃｌｉｃｋ  Ｈｉｎｇｅ  Ｔｙｐｅ）と、端末機カバーの開き角度を任意に調節し得るフリーストップヒンジタイプ（Ｆｒｅｅ  Ｓｔｏｐ  Ｈｉｎｇｅ  Ｔｙｐｅ）とに区分される。
【０００４】
クリックヒンジタイプのヒンジ装置は、使用者が端末機カバーを開く時点に、スプリングの弾性力により端末機カバーが自動に開閉するように構成されて、端末機カバーをより容易に開閉し得る構造であり、フリーストップヒンジタイプのヒンジ装置は、使用者が端末機カバーを所望の角度だけ直接開閉し得る構造となっている。
【０００５】
図１０は従来携帯用端末機を示した斜視図で、図１１は従来クリックヒンジタイプのヒンジ装置を分解して示した斜視図で、図１２（Ａ）は従来クリックヒンジタイプのヒンジ装置における第１ヒンジの山部と第２ヒンジの溝部との分離状態を示した縦断面図で、図１２（Ｂ）は従来クリックヒンジタイプのヒンジ装置における第１ヒンジの山部と第２ヒンジの溝部との結合状態を示した縦断面図である。
【０００６】
図示されたように、従来の携帯用端末機は、各種の選択ボタン１ａ及び該選択ボタン１ａに連結されて各種機能を制御する基板（図示せず）を具備する端末機本体１と、該端末機本体１に揺動自在に結合されてフォールディングされることで、前記端末機本体１を保護して各種情報を表示する画面２ａを具備する端末機カバー２と、前記端末機本体１と端末機カバー２間に設置されて、該端末機カバー２の揺動を可能にするヒンジ装置Ｈと、を含んで構成されている。
【０００７】
図１１〜図１２（Ｂ）に示したように、従来クリックヒンジタイプのヒンジ装置は、前記端末機本体１の上端両方側に第１ヒンジハウジング１ｂがそれぞれ形成され、それら第１ヒンジハウジング１ｂの内部には第１ヒンジ１１が挿合されている。これに対応する前記端末機カバー２の下端中央には第２ヒンジハウジング２ｂが形成され、該第２ヒンジハウジング２ｂには第２ヒンジ１２が挿合されている。
【０００８】
前記第１ヒンジハウジング１ｂ及び第２ヒンジハウジング２ｂの内周面には、前記第１ヒンジ１１及び第２ヒンジ１２の外周面が挿合されるヒンジ係止面１ｃ、２ｃがそれぞれ形成されている。
【０００９】
前記第１ヒンジ１１及び前記第２ヒンジ１２の外周面には、第１ヒンジハウジング１ｂのヒンジ係止面１ｃ及び前記第２ヒンジハウジング２ｂのヒンジ係止面２ｃに係止される回転防止面１１ａ、１２ａがそれぞれ形成され、前記第１ヒンジ１１及び前記第２ヒンジ１２の対向面には、山部１１ｂ・溝部１１ｃ及び溝部１２ｃ・山部１２ｂがそれぞれ形成されている。
【００１０】
前記第２ヒンジハウジング２ｂの内部には、第２ヒンジ１２を軸方向に弾支するスプリング１３が内蔵され、該スプリング１３は、スプリング案内ピン１４により支持されている。
【００１１】
以下、このように構成された従来クリックヒンジタイプのヒンジ装置の動作に対して説明する。
【００１２】
まず、図１２（Ａ）に示したように、前記スプリング１３により前記第２ヒンジ１２と前記第１ヒンジ１１とは面接触された状態を維持する。この状態で、使用者が端末機カバー２を開くと、端末機カバー２と共に前記第２ヒンジ１２が回り、このとき、前記第２ヒンジ１２の山部１２ｂが第１ヒンジ１１の山部１１ｂを押すようになり、これと同時に、第２ヒンジ１２が矢印方向（第２ヒンジハウジングの内側）に押されてスプリング１３を圧縮させる。この状態で、使用者が端末機カバー２を更に開くと、図１２（Ｂ）に示したように、前記第２ヒンジ１２の山部１２ｂが第１ヒンジ１１の山部１１ｂの頂点を通過し、このとき、使用者が端末機カバー２を更に開かなくても、前記スプリング１３の復元力により端末機カバー２が自動に完全に開くようになる。前記端末機カバー２が完全に開いた後、前記第２ヒンジ１２の山部１２ｂは第１ヒンジ１１の溝部１１ｃに、第２ヒンジ１２の溝部１２ｃは第１ヒンジ１１の山部１１ｂにそれぞれ結合される。前記端末機カバー２を閉じる過程は、これと反対に動作される。
【００１３】
一方、図１３は従来フリーストップヒンジタイプのヒンジ装置を示した分離斜視図で、図１４（Ａ）は従来フリーストップヒンジタイプのヒンジ装置における第１ヒンジの停止溝と第２ヒンジの停止突条との分離状態を示した縦断面図で、図１４（Ｂ）は従来フリーストップヒンジタイプのヒンジ装置における第１ヒンジの停止溝と第２ヒンジの停止突条との結合状態を示した縦断面図である。
【００１４】
図示されたように、従来フリーストップヒンジタイプのヒンジ装置は、第１ヒンジ１５及び第２ヒンジ１６の外周面に回転防止面１５ａ、１６ａがそれぞれ形成され、前記第１ヒンジ１５及び第２ヒンジ１６の対向面にはヒンジ案内面１５ｂ、１６ｂがそれぞれ形成され、それらヒンジ案内面１５ｂ、１６ｂには、停止溝１５ｃ及び該停止溝１５ｃに挿合される停止突条１６ｃがそれぞれ形成されている。前記第２ヒンジハウジング２ｂには、前記第２ヒンジ１６を軸方向に支持するスプリング１７が設置され、該スプリング１７は案内ピン１８により支持されている。
【００１５】
以下、このように構成された従来フリーストップヒンジタイプのヒンジ装置の動作に対して説明する。
【００１６】
まず、図１４（Ａ）に示したように、前記スプリング１７により第２ヒンジ１６の停止突条１６ｃが第１ヒンジ１５の案内面１５ｂに接触されている。この状態で、使用者が端末機カバー２を開くと、端末機カバー２と共に第２ヒンジ１６が回り、このとき、前記停止突条１６ｃ及びヒンジ案内面１５ｂによって発生する摩擦力により端末機カバー２が徐々に開くようになる。
【００１７】
使用者が端末機カバー２を更に開くと、図１４（Ｂ）に示したように、前記停止突条１６ｃが前記停止溝１５ｃに挿合されて、前記端末機カバー２の開き程度が制限される。
【発明の開示】
【発明が解決しようとする課題】
【００１８】
然るに、このような従来携帯用端末機のヒンジ装置においては、クリックヒンジタイプのヒンジ装置の場合、使用者が端末機カバーの開き角度を任意に調節できないため、動映像情報を受ける時、使用者が端末機カバーの開き角度に合わせなければならなく、文字メッセージを作成する時や画像で通話をする時、周辺の人に個人情報が露出される憂いがあるという不都合な点があった。
【００１９】
又、フリーストップヒンジタイプのヒンジ装置の場合、日常的な通話をする時も、使用者が一々端末機カバーを完全に開閉すべきであるため、使用が非常に不便であるという不都合な点があった。
【００２０】
本発明は、このような従来の課題に鑑みてなされたもので、日常的な通話を試みる時は、端末機カバーを自動に開閉し得るようにする一方、文字メッセージを作成する時や画像通話を試みる時、且つ、画面の位置を調節する時は、端末機カバーの開き角度を任意に調節することで、全体的に使用上の便利性を向上し得る携帯用端末機のヒンジ装置を提供することを目的とする。
【課題を解決するための手段】
【００２１】
このような目的を達成するため、本発明に係る携帯用端末機のヒンジ装置は、端末機本体の上部両方側に形成される第１ヒンジハウジングと、該第１ヒンジハウジングの内部に挿合される第１ヒンジ部材と、前記端末機本体に揺動自在に結合された端末機カバーの下部中央に形成される第２ヒンジハウジングと、該第２ヒンジハウジングの内部に挿合される第２ヒンジ部材と、前記第１ヒンジ部材と前記第２ヒンジ部材間に位置され、軸方向に移動しながら前記第１ヒンジハウジング又は第２ヒンジハウジングに選択的に結合されて自身の回転が制御されるカップリングヒンジ部材と、前記第２ヒンジ部材を支持するために該第２ヒンジ部材の内部に設置されるスプリングと、前記カップリングヒンジ部材を軸方向に移動させるために、前記第１ヒンジ部材と隣接して前記第１ヒンジハウジングの一方側に設置されるカップリングヒンジ部材の位置調節手段と、を含んで構成されることを特徴とする。
【００２２】
又、本発明に係る携帯用端末機のヒンジ装置は、前記第１ヒンジ部材及び前記カップリングヒンジ部材の対向面には案内面がそれぞれ形成され、前記第１ヒンジ部材の案内面には停止溝が形成され、前記カップリングヒンジ部材の案内面には前記停止溝に挿合される停止突条が形成され、前記第２ヒンジ部材及び前記カップリングヒンジ部材の対向面には山部と溝部とが相互対応して形成されることを特徴とする。
【００２３】
又、前記第２ヒンジ部材及び前記カップリングヒンジ部材の対向面には、２組の山部と溝部とがそれぞれ相互対応して形成されることを特徴とする。
【００２４】
又、前記停止溝は、前記第１ヒンジ部材の案内面に中心から円周方向に形成され、前記停止突条は、前記カップリングヒンジ部材の案内面に中心から円周方向に形成されることを特徴とする。
【００２５】
又、前記カップリングヒンジ部材の位置調節手段は、前記第１ヒンジハウジングの端部と連通して形成されるキャップ挿合溝部と、該キャップ挿合溝部に回転自在に結合されて、内部に雌ねじ部が形成される位置調節キャップと、該位置調節キャップの回転により前記雌ねじ部に結合されて、軸方向に移動されるように前記第１ヒンジ部材に形成される雄ねじ部と、から構成されることを特徴とする。
【００２６】
本発明による携帯用端末機のヒンジ装置は、端末機本体の上部両方側に形成される第１ヒンジハウジングと、該第１ヒンジハウジングの内部に挿合される第１ヒンジ部材と、前記端末機本体に揺動自在に結合された端末機カバーの下部中央に形成される第２ヒンジハウジングと、該第２ヒンジハウジングの内部に挿合される第２ヒンジ部材と、前記第１ヒンジ部材と前記第２ヒンジ部材間に位置されて、軸方向に移動しながら前記第１ヒンジハウジング又は第２ヒンジハウジングに選択的に結合されて、自身の回転が制御されるカップリングヒンジ部材と、前記第２ヒンジ部材を支持するために該第２ヒンジ部材の内部に設置されるスプリングと、前記カップリングヒンジ部材を軸方向に移動させるために、前記第１ヒンジ部材と隣接して前記第１ヒンジハウジングの一方側に設置されるカップリングヒンジ部材の位置調節手段とを含んで構成されることを特徴とし、これにより上記目的が達成される。
【００２７】
前記第２ヒンジハウジングの内部に軸が設置されて、該軸は、前記スプリング、前記第２ヒンジ部材及び前記カップリングヒンジ部材の中心を貫通して設置されることを特徴としてもよい。
【００２８】
前記第１ヒンジ部材及び前記カップリングヒンジ部材の対向面には案内面がそれぞれ形成され、前記第１ヒンジ部材の案内面には停止溝が形成され、前記カップリングヒンジ部材の案内面には前記停止溝に挿合される停止突条が形成され、前記第２ヒンジ部材及び前記カップリングヒンジ部材の対向面には、山部と溝部とが相互対応して形成されることを特徴としてもよい。
【００２９】
前記第２ヒンジ部材及び前記カップリングヒンジ部材の対向面には、２組の山部と溝部とがそれぞれ相互対応して形成されることを特徴としてもよい。
【００３０】
前記停止溝は、前記第１ヒンジ部材の案内面に円周方向に形成され、前記停止突条は、前記カップリングヒンジ部材の案内面に円周方向に形成されることを特徴としてもよい。
【００３１】
前記第１ヒンジハウジング及び前記第２ヒンジハウジングの内周面には、第１ヒンジ部材の係止面及び第２ヒンジ部材の係止面がそれぞれ形成され、前記第１ヒンジ部材の外周面には、前記第１ヒンジ部材の係止面に係止される回転防止面が形成され、第２ヒンジ部材の外周面には、前記第２ヒンジ部材の係止面に係止される回転防止面が形成されることを特徴としてもよい。
【００３２】
前記カップリングヒンジ部材の位置調節手段は、前記第１ヒンジハウジングの端部と連通して形成されるキャップ挿合溝部と、該キャップ挿合溝部に回転自在に結合されて、内部に雌ねじ部が形成される位置調節キャップと、該位置調節キャップの回転によって前記雌ねじ部に結合されて、軸方向に移動するように前記第１ヒンジ部材に形成される雄ねじ部と、から構成されることを特徴としてもよい。
【００３３】
前記位置調節キャップの外周面には、取っ手部が形成されることを特徴としてもよい。
【００３４】
前記取っ手部には、ぎざぎざ（ｎｕｒｌｉｎｇ）が形成されることを特徴としてもよい。
【００３５】
前記キャップ挿合溝部の内部面には係止溝が形成され、前記位置調節キャップの端部には、前記係止溝に係合される係止突条が形成されることを特徴としてもよい。
【００３６】
前記第１ヒンジ部材の軸方向移動を制限するために、前記第１ヒンジハウジングの内周面にはストッパーが形成され、前記第１ヒンジ部材の外周面には、前記ストッパーに係止される突条部が形成されることを特徴としてもよい。
【発明の効果】
【００３７】
以上説明したように、本発明に係る携帯用端末機のヒンジ装置においては、使用者の便宜によって開き角度を自由に調節できるため、周辺の露出を避ける私的な文字サービスや画像通話を安心して使用し得るだけでなく、カメラや画面角度を自由に調節できるため、使用上の便宜を図ることができる。
【００３８】
又、クリックヒンジタイプ及びフリーストップヒンジタイプの構造を全て有しているため、使用者が必要によって端末機カバーをクリックヒンジタイプ又はフリーストップヒンジタイプに開閉することができ、使用が非常に便利である。
【発明を実施するための最良の形態】
【００３９】
以下、本発明の実施の形態に対し、図面に基づいて説明する。
【００４０】
図１は本発明に係る携帯用端末機を示した斜視図で、図２は本発明に係る携帯用端末機のヒンジ装置を示した分離斜視図で、図３は本発明に係る携帯用端末機のヒンジ装置を示した縦断面図で、図４は図３のＩ−Ｉ線断面図で、図５は図３のＩＩ−ＩＩ線断面図で、図６は図３のＩＩＩ−ＩＩＩ線断面図である。
【００４１】
図示されたように、本発明に係る携帯用端末機は、各種の選択ボタン１ａ及び該選択ボタン１ａに連結されて各種機能を制御する基板（図示せず）を具備する端末機本体１と、該端末機本体１にヒンジ結合されてフォールディングされることで、前記端末機本体１を保護して各種情報を提供する画面を具備する端末機カバー２と、前記端末機本体１と端末機カバー２間に設置されて、該端末機カバー２をクリックヒンジタイプ又はフリーストップヒンジタイプで回転可能にするヒンジ装置１００と、を含んで構成されている。
【００４２】
本発明に係る携帯用端末機のヒンジ装置１００は、前記端末機本体１の上部両方側に形成される第１ヒンジハウジング１ｂと、該第１ヒンジハウジング１ｂの内部に挿合される第１ヒンジ部材１１０と、前記端末機本体１に揺動自在に結合された端末機カバー２の下部中央に形成される第２ヒンジハウジング２ｂと、該第２ヒンジハウジング２ｂの内部に挿合される第２ヒンジ部材１２０と、前記第１ヒンジ部材１１０と前記第２ヒンジ部材１２０間に位置されて、軸方向に移動しながら前記第１ヒンジハウジング１ｂ又は第２ヒンジハウジング２ｂに選択的に結合されて、自身の回転が制御されるカップリングヒンジ部材１３０と、前記第２ヒンジ部材１２０を支持するために、該第２ヒンジ部材１２０の内部に設置されるスプリング１４０と、前記カップリングヒンジ部材１３０を軸方向に移動させるために、前記第１ヒンジ部材１１０と隣接して前記第１ヒンジハウジング１ｂの一方側に設置されるカップリングヒンジ部材の位置調節手段１５０と、を含んで構成されている。
【００４３】
前記第２ヒンジハウジング２ｂの内部に軸１４１が設置され、該軸１４１は、前記スプリング１４０、前記第２ヒンジ部材１２０及び前記カップリングヒンジ部材１３０の中心を貫通して設置されることで、前記第２ヒンジ部材１２０及び前記カップリングヒンジ部材１３０が軸１４１に沿って滑動されるように構成されている。
【００４４】
前記第１ヒンジ部材１１０及び前記カップリングヒンジ部材１３０の対向面には案内面１１２、１３２がそれぞれ形成され、前記第１ヒンジ部材１１０の案内面１１２には停止溝１１２ａが形成され、前記カップリングヒンジ部材１３０の案内面１３２には前記停止溝１１２ａに挿合される停止突条１３２ａが形成される。
【００４５】
前記第２ヒンジ部材１２０及び前記カップリングヒンジ部材１３０の対向面には、山部１２２ａ・溝部１２２ｂと溝部１３３ｂ・山部１３３ａとがそれぞれ相互対応して形成される。
【００４６】
このとき、前記第２ヒンジ部材１２０の山部１２２ａ・溝部１２２ｂと前記カップリングヒンジ部材１３０の溝部１３３ｂ・山部１３３ａとは２組で形成されることが好ましい。
【００４７】
前記停止溝１１２ａは、前記第１ヒンジ部材１１０の案内面１１２に中心から円周方向に形成され、前記停止突条１３２ａは、前記カップリングヒンジ部材１３０の案内面１３２に中心から円周方向に形成されている。
【００４８】
前記第１ヒンジハウジング１ｂ及び前記第２ヒンジハウジング２ｂの内周面には、第１ヒンジ部材の係止面１ｃ及び第２ヒンジ部材の係止面２ｃがそれぞれ形成される。
【００４９】
前記第１ヒンジ部材１１０の外周面には、前記第１ヒンジ部材の係止面１ｃに係止される回転防止面１１１が形成され、第２ヒンジ部材１２０の外周面には、前記第２ヒンジ部材の係止面２ｃに係止される回転防止面１２１が形成される。
【００５０】
前記カップリングヒンジ部材１３０の外周面にも、該カップリングヒンジ部材１３０の位置によって前記第１ヒンジ部材の係止面１ｃ又は第２ヒンジ部材の係止面２ｃに選択的に係止される回転防止面１３１が形成される。
【００５１】
前記カップリングヒンジ部材１３０の位置調節手段１５０は、前記第１ヒンジハウジング１ｂの端部と連通して形成されるキャップ挿合溝部１５１と、該キャップ挿合溝部１５１に回転自在に結合されて、内部に雌ねじ部１５２ａが形成される位置調節キャップ１５２と、該位置調節キャップ１５２の回転により前記雌ねじ部１５２ａに結合されて、軸１４１に沿って、又は軸１４１方向に移動されるように前記第１ヒンジ部材１１０に形成される雄ねじ部１５３と、から構成されている。
【００５２】
前記位置調節キャップ１５２の外周面には取っ手部１５２ｂが形成されるが、該取っ手部１５２ｂには、使用上の滑り防止のために、ぎざぎざ（ｎｕｒｌｉｎｇ）が形成されることが好ましい。
【００５３】
以下、クリックヒンジタイプのヒンジ装置の動作に対しては図７（Ａ）及び図７（Ｂ）に基づいて説明し、フリーストップヒンジタイプのヒンジ装置の動作に対しては図８（Ａ）及び図８（Ｂ）に基づいて説明する。
【００５４】
まず、クリックヒンジタイプのヒンジ装置の動作に対し、次のように説明する。
【００５５】
図７（Ａ）に示したように、使用者が位置調節キャップ１５２を時計方向に回して、前記雌ねじ部１５２ａに前記第１ヒンジ部材１１０の雄ねじ部１５３を結合させることで、前記第１ヒンジ部材１１０が矢印方向（第２ヒンジハウジングの外側方向）に移動される。これと同時に、スプリング１４０の弾性力により第２ヒンジ部材１２０及びカップリングヒンジ部材１３０も第１ヒンジ部材１１０と共に矢印方向に移動し、前記カップリングヒンジ部材１３０が第１ハウジング１ｂに挿合される。このとき、前記カップリングヒンジ部材１３０の回転防止面１３１が第１ヒンジハウジング１ｂのヒンジ部材の係止面１ｃに係止されて、軸方向に前記カップリングヒンジ部材１３０の滑り運動は許容されるが、回転運動は拘束される。
【００５６】
このような状態で、使用者が端末機カバー２を開くと（時計方向）、前記端末機カバー２と共に前記第２ヒンジ部材１２０が回り、このとき、前記カップリングヒンジ部材１３０の山部１３３ａが前記第２ヒンジ部材１２０の山部１２２ａを押すようになって、前記第２ヒンジ部材１２０が矢印の反対方向（第２ヒンジハウジングの内側）に押されながらスプリング１４０を圧縮させる。
【００５７】
前記スプリング１４０が圧縮された状態で、使用者が端末機カバー２を更に開くと、図７（Ｂ）に示したように、前記カップリングヒンジ部材１３０の山部１３３ａが第２ヒンジ部材１２０の山部１２２ａの頂点を通過し、このとき、使用者が端末機カバー２を更に開かなくても、前記スプリング１４０の復元力により前記端末機カバー２が自動に開くようになる。前記端末機カバー２が完全に開かれると、前記スプリング１４０の弾性力により前記カップリングヒンジ部材１３０の山部１３３ａは第２ヒンジ部材１２０の溝部１２２ｂに、前記カップリングヒンジ部材１３０の溝部１３３ｂは第２ヒンジ部材１２０の山部１２２ａにそれぞれ結合される。前記端末機カバー２を閉じる過程は、これと反対に動作される。
【００５８】
このように端末機カバー２を開閉する時、使用者が初期の所定時点まで端末機カバー２を開閉すると、その後は自動に開閉されるため、端末機カバー２をより容易且つ便利に開閉させることができる。
【００５９】
一方、フリーストップヒンジタイプのヒンジ装置の動作に対し、次のように説明する。
【００６０】
図８（Ａ）に示したように、使用者が位置調節キャップ１５２を反時計方向に回して、前記雌ねじ部１５２ａに結合された前記第１ヒンジ部材１１０の雄ねじ部１５３を前記雌ねじ部１５２ａから分離させることで、前記第１ヒンジ部材１１０が矢印方向（第２ヒンジハウジングの内側方向）に移動される。このとき、前記カップリングヒンジ部材１３０及び第２ヒンジ部材１２０も矢印方向に移動され、前記スプリング１４０が圧縮される。
【００６１】
このとき、前記カップリングヒンジ部材１３０の回転防止面１３１が第１ヒンジハウジング１ｂのヒンジ部材の係止面１ｃに係止されて、軸方向に前記カップリングヒンジ部材１３０の滑り運動は許容されるが、回転運動は拘束される。
【００６２】
このような状態で、使用者が端末機カバー２を開くと、図８（Ｂ）に示したように、前記カップリングヒンジ部材１３０が端末機カバー２と共に回り、このとき、前記カップリングヒンジ部材１３０の停止突条１３２ａが第１ヒンジ部材１１０の案内面１１２に接触されて摩擦力が発生し、端末機カバー２が徐々に開かれるようになる。
【００６３】
使用者が端末機カバー２を更に開くと、図８（Ａ）に示したように、前記停止突条１３２ａが前記停止溝１１２ａに挿合されて、前記端末機カバー２の開き程度が制限される。
【００６４】
一方、図９は本発明に係る携帯用端末機のヒンジ装置の変形例を示した縦断面図である。
【００６５】
図示されたように、本発明に係る携帯用端末機のヒンジ装置の変形例においては、位置調節キャップ１５２を時計又は反時計方向に回して前記第１ヒンジ部材１１０を移動させる過程で、該第１ヒンジ部材１１０が前記第１ヒンジハウジング１ｂから抜けないように、キャップ挿合溝部１５１の内周面に係止溝１５４が形成され、前記位置調節キャップ１５２の端部には、前記係止溝１５４に係合される係止突条１５５が形成される。
【００６６】
又、前記第１ヒンジ部材１１０の軸方向移動を制限するために、前記第１ヒンジハウジング１ｂの内周面にはストッパー１５６が形成され、前記第１ヒンジ部材１１０の外周面には、前記ストッパー１５６に係止される突条部１５７が形成される。
【００６７】
日常的な通話を試みる時は、端末機カバーを自動に開閉し得るようにする一方、文字メッセージを作成する時や画像通話を試みる時、且つ、画面の位置を調節する時は、端末機カバーの開き角度を任意に調節することで、全体的に使用上の便利性を向上し得る携帯用端末機のヒンジ装置を提供しようとする。
【００６８】
端末機本体１の上部両方側に形成される第１ヒンジハウジング１ｂと、該第１ヒンジハウジング１ｂの内部に挿合される第１ヒンジ部材１１０と、端末機カバー２の下部中央に形成される第２ヒンジハウジング２ｂと、該第２ヒンジハウジング２ｂの内部に挿合される第２ヒンジ部材１２０と、前記第１ヒンジハウジング１ｂ又は第２ヒンジハウジング２ｂに選択的に結合されて自身の回転が制御されるカップリングヒンジ部材１３０と、前記第２ヒンジ部材１２０の内部に設置されるスプリング１４０と、前記第１ヒンジハウジング１ｂの一方側に設置されるカップリングヒンジ部材の位置調節手段１５０と、を含んで携帯用端末機のヒンジ装置を構成する。
【００６９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００７０】
【図１】本発明に係る携帯用端末機を示した斜視図である。
【図２】本発明に係る携帯用端末機のヒンジ装置を示した分離斜視図である。
【図３】本発明に係る携帯用端末機のヒンジ装置を示した縦断面図である。
【図４】図３のＩ−Ｉ線断面図である。
【図５】図３のＩＩ−ＩＩ線断面図である。
【図６】図３のＩＩＩ−ＩＩＩ線断面図である。
【図７Ａ】図７Ａは、本発明に係るクリックヒンジタイプのヒンジ装置におけるカップリングヒンジ部材の山部と第２ヒンジ部材の溝部との分離状態を示した縦断面図である。
【図７Ｂ】図７Ｂは、本発明に係るクリックヒンジタイプのヒンジ装置におけるカップリングヒンジ部材の山部と第２ヒンジ部材の溝部との結合状態を示した縦断面図である。
【図８Ａ】図８Ａは、本発明に係るフリーストップヒンジタイプのヒンジ装置における第１ヒンジ部材の停止溝とカップリングヒンジ部材の停止突条との分離状態を示した縦断面図である。
【図８Ｂ】図８Ｂは、本発明に係るフリーストップヒンジタイプのヒンジ装置における第１ヒンジ部材の停止溝とカップリングヒンジ部材の停止突条との結合状態を示した縦断面図である。
【図９】本発明に係る携帯用端末機のヒンジ装置の変形例を示した縦断面図である。
【図１０】従来携帯用端末機を示した斜視図である。
【図１１】従来クリックヒンジタイプのヒンジ装置を示した分離斜視図である。
【図１２Ａ】図１２Ａは、従来クリックヒンジタイプのヒンジ装置における第１ヒンジの山部と第２ヒンジの溝部との分離状態を示した縦断面図である。
【図１２Ｂ】図１２Ｂは、従来クリックヒンジタイプのヒンジ装置における第１ヒンジの山部と第２ヒンジの溝部との結合状態を示した縦断面図である。
【図１３】従来フリーストップヒンジタイプのヒンジ装置を示した分離斜視図である。
【図１４Ａ】図１４Ａは、従来フリーストップヒンジタイプのヒンジ装置における第１ヒンジの停止溝と第２ヒンジの停止突条との分離状態を示した縦断面図である。
【図１４Ｂ】図１４Ｂは、従来フリーストップヒンジタイプのヒンジ装置における第１ヒンジの停止溝と第２ヒンジの停止突条との結合状態を示した縦断面図である。
【符号の説明】
【００７１】
１：端末機本体
１ｂ：第１ヒンジハウジング
１ｃ：ヒンジ係止面
２：端末機カバー
２ｂ：第２ヒンジハウジング
２ｃ：ヒンジ係止面
１００：ヒンジ装置
１１０：第１ヒンジ部材
１１１、１２１、１３１：回転防止面
１１２：ヒンジ部材の案内面
１１２ａ：停止溝
１２０：第２ヒンジ部材
１２２：ヒンジ部材の案内面
１２２ａ：第２ヒンジ部材の山部
１２２ｂ：第２ヒンジ部材の溝部
１３０：カップリングヒンジ部材
１３２、１３３：ヒンジ部材の案内面
１３２ａ：停止突条
１３３ａ：カップリングヒンジ部材の山部
１３３ｂ：カップリングヒンジ部材の溝部
１４０：スプリング
１５１：キャップ挿合溝部
１５２：位置調節キャップ
１５２ａ：雌ねじ部
１５２ｂ：取っ手部
１５３：雄ねじ部
１５４：係止溝
１５５：係止突条
１５６：ストッパー
１５７：突条部
【図１】
2004308891.tif 000003
【図２】
2004308891.tif 000004
【図３】
2004308891.tif 000005
【図４】
2004308891.tif 000006
【図５】
2004308891.tif 000007
【図６】
2004308891.tif 000008
【図７Ａ】
2004308891.tif 000009
【図７Ｂ】
2004308891.tif 000010
【図８Ａ】
2004308891.tif 000011
【図８Ｂ】
2004308891.tif 000012
【図９】
2004308891.tif 000013
【図１０】
2004308891.tif 000014
【図１１】
2004308891.tif 000015
【図１２Ａ】
2004308891.tif 000016
【図１２Ｂ】
2004308891.tif 000017
【図１３】
2004308891.tif 000018
【図１４Ａ】
2004308891.tif 000019
【図１４Ｂ】
2004308891.tif 000020